【手続補正書】
【提出日】令和1年9月26日(2019.9.26)
【手続補正１】
【補正対象書類名】特許請求の範囲
【補正対象項目名】全文
【補正方法】変更
【補正の内容】
【特許請求の範囲】
【請求項１】
無線充電通信方法において、前記方法は無線電力受信装置に応用され、  前記方法は、  無線充電過程の中で、緊急データの伝送が必要である場合、帯域内通信方式を使用して無線電力送信装置にデータパケットを送信するステップと、  前記無線充電過程の中で、非緊急データの伝送が必要である場合、帯域外通信方式を使用して前記無線電力送信装置に前記データパケットを送信するステップと、を含み、  前記緊急データの伝送遅延要求は、前記非緊急データの伝送遅延要求より高いことを特徴とする無線充電通信方法。
【請求項２】
前記無線充電過程の中で、前記緊急データの伝送が必要であると判断するステップは、  制御誤差のパケットCEPに含まれる制御誤差値を取得するステップと、  前記制御誤差値が誤差しきい値より大きい場合、前記無線充電過程の中で、前記緊急データの伝送が必要であると確定するステップと、  前記制御誤差値が前記誤差しきい値より小さい場合、前記無線充電過程の中で、前記非緊急データの伝送が必要であると確定するステップと、を含み、  前記CEPは前記無線電力送信装置が電圧、電流、および動作周波数中の少なくとも一つを調節するように指示することを特徴とする請求項１に記載の方法。
【請求項３】
前記無線充電過程の中で、前記緊急データの伝送が必要であると判断するステップは、  前記無線電力受信装置の出力電流を取得するステップと、  前記出力電流が第１しきい値より大きい場合、前記無線充電過程の中で、前記緊急データの伝送が必要であると確定するステップと、を含み、  前記帯域内通信方式を使用して前記無線電力送信装置に前記データパケットを送信するステップは、  前記帯域内通信方式を使用して前記無線電力送信装置に第１データパケットを送信するステップを含み、  前記第１データパケットは電力伝送の停止を指示することを特徴とする請求項１に記載の方法。
【請求項４】
前記無線充電過程の中で、前記緊急データの伝送が必要であると判断するステップは、  前記無線電力受信装置の装置温度を取得するステップと、  前記装置温度が第２しきい値より大きい場合、前記無線充電過程の中で、前記緊急データの伝送が必要であることと確定するステップと、  前記帯域内通信方式を使用して前記無線電力送信装置に前記データパケットを送信するステップは、  前記帯域内通信方式を使用して前記無線電力送信装置に第２データパケットを送信するステップを含み、  前記第２データパケットは電力伝送の停止を指示することを特徴とする請求項１に記載の方法。
【請求項５】
前記無線充電過程の中で、前記緊急データの伝送が必要であると判断するステップは、  前記無線電力受信装置のタイマーであって前記無線電力受信装置が第３データパケットを送信するようにトリガーする前記タイマーのタイマー状態を取得するステップと、  前記タイマー状態が時間切れ状態である場合、前記無線充電過程の中で、前記緊急データの伝送が必要であることと確定するステップと、を含み、  前記帯域内通信方式を使用して前記無線電力送信装置に前記データパケットを送信するステップは、  前記帯域内通信方式を使用して前記無線電力送信装置に前記第３データパケットを送信するステップを含むことを特徴とする請求項１に記載の方法。
【請求項６】
前記方法は、  前記無線充電過程の中で、前記緊急データの伝送が必要である場合、前記緊急データに対応する前記データパケットを優先的に生成するステップをさらに含むことを特徴とする請求項１から請求項５の何れか一項に記載の方法。
【請求項７】
前記帯域外通信方式は、Bluetooth、近距離通信NFC及びZigBeeのうち少なくとも一つを含むことを特徴とする請求項１から請求項５の何れか一項に記載の方法。
【請求項８】
無線充電通信方法において、前記方法は、無線電力送信装置に応用され、  前記方法は、  無線電力受信装置が送信したデータパケットを受信するステップと、  前記データパケットを送信するときに使用する通信方式であって帯域内通信方式と帯域外通信方式を含む前記通信方式を確定するステップと、  前記帯域内通信方式を使用して送信する前記データパケットを優先的に処理するステップと、を含むことを特徴とする方法。
【請求項９】
前記方法は、  第１予定時間内に前記帯域内通信方式を使用して送信される前記データパケットを受信できなかった場合、帯域内通信が失敗したことと確定するステップと、  第２予定時間内に前記帯域外通信方式を使用して送信される前記データパケットを受信できなかった場合、帯域外通信が失敗したことと確定するステップと、  前記帯域内通信が失敗し且つ前記帯域外通信が失敗した場合、無線充電を停止するステップと、を含むことを特徴とする請求項８に記載の方法。
【請求項１０】
前記帯域外通信方式は、Bluetooth、NFC及びZigBeeのうち少なくとも一つを含むことを特徴とする請求項８又は請求項９に記載の方法。
【請求項１１】
無線充電通信装置において、前記無線充電通信装置は無線電力受信装置に応用され、  前記無線充電通信装置は、  無線充電過程の中で、緊急データの伝送が必要である場合、帯域内通信方式を使用して無線電力送信装置にデータパケットを送信する帯域内通信モジュールと、  前記無線充電過程の中で、非緊急データの伝送が必要である場合、帯域外通信方式を使用して前記無線電力送信装置に前記データパケットを送信する帯域外通信モジュールと、を含み、  前記緊急データの伝送遅延要求は、前記非緊急データの伝送遅延要求より高いことを特徴とする無線充電通信装置。
【請求項１２】
無線充電通信装置において、前記無線充電通信装置は無線電力送信装置に応用され、  前記無線充電通信装置は、  無線電力受信装置が送信したデータパケットを受信するデータパケット受信モジュールと、  前記データパケットを送信するときに使用する通信方式であって帯域内通信方式と帯域外通信方式を含む前記通信方式を確定する通信方式確定モジュールと、  前記帯域内通信方式を使用して送信する前記データパケットを優先的に処理する優先処理モジュールと、を含むことを特徴とする無線充電通信装置。
【請求項１３】
無線充電通信装置において、前記無線充電通信装置は無線電力送信装置に応用され、  前記無線充電通信装置は、  プロセッサと、  前記プロセッサの実行可能な命令を格納するメモリと、を含み、  前記プロセッサは、  無線充電過程の中で、緊急データの伝送が必要である場合、帯域内通信方式を使用して前記無線電力送信装置にデータパケットを送信し、  前記無線充電過程の中で、非緊急データの伝送が必要である場合、帯域外通信方式を使用して前記無線電力送信装置に前記データパケットを送信し、  前記緊急データの伝送遅延要求は、前記非緊急データの伝送遅延要求より高いように配置されることを特徴とする無線充電通信装置。
【請求項１４】
無線充電通信装置において、前記無線充電通信装置は無線電力受信装置に応用され、  前記無線充電通信装置は、  プロセッサと、  前記プロセッサの実行可能な命令を格納するメモリと、を含み、  前記プロセッサは、  前記無線電力受信装置が送信したデータパケットを受信し、  前記データパケットを送信するときに使用する通信方式であって帯域内通信方式と帯域外通信方式を含む前記通信方式を確定し、  前記帯域内通信方式を使用して送信する前記データパケットを優先的に処理するように配置されることを特徴とする無線充電通信装置。
【請求項１５】
コンピュータ読み取り可能な記憶媒体において、前記記憶媒体は、少なくとも一つの命令を格納し、前記少なくとも一つの命令は、プロセッサによって実行され、請求項１から請求項７のいずれか一項に記載の無線充電通信方法を実現することを特徴とするコンピュータ読み取り可能な記憶媒体。
【請求項１６】
コンピュータ読み取り可能な記憶媒体において、前記記憶媒体は、少なくとも一つの命令を格納し、前記少なくとも一つの命令は、プロセッサによって実行され、請求項８から請求項１０のいずれか一項に記載の無線充電通信方法を実現することを特徴とするコンピュータ読み取り可能な記憶媒体。
【請求項１７】
無線充電システムにおいて、前記無線充電システムは無線電力受信装置と無線電力送信装置を含み、  前記無線電力受信装置は、請求項１３に記載の無線電力受信装置を含み、  前記無線電力送信装置は、請求項１４に記載の無線電力送信装置を含むことを特徴とする無線充電システム。
【請求項１８】
プロセッサに実行されることにより、請求項１から請求項１０の何れか１項に記載の端末スクリーンの表示制御方法を実現することを特徴とするプログラム。
【手続補正２】
【補正対象書類名】明細書
【補正対象項目名】全文
【補正方法】変更
【補正の内容】
【発明の詳細な説明】
【発明の名称】無線充電通信方法、装置、デバイス、プログラムおよび記憶媒体
【技術分野】
【０００１】本出願の実施例は、無線充電技術分野に関するものであり、特に、無線充電通信方法、装置、デバイス、プログラムおよび記憶媒体に関するものである。
【背景技術】
【０００２】現在、ある携帯電話は、無線充電を支持する。無線充電は電磁誘導、電磁共振、電磁カップリング、無線電波などの方法を含む。【０００３】無線充電コンソーシアム（Wireless Power Consortium、WPC）で提出された無線充電規格の規定によれば、無線充電の充電器と被充電機器との間で無線充電の動作周波数帯域に基づいて必要な通信を行うことができ、このような通信方式を帯域内通信という。【０００４】しかし、無線充電の動作場面が複雑であるので、帯域内通信の通信品質が悪く、さらに帯域内通信情報の復調成功率に対して影響を与えることができる。
【発明の概要】
【発明が解決しようとする課題】
【０００５】本公開の実施例は、無線充電通信方法、装置、デバイス、プログラムおよび記憶媒体を提供する。上記の技術方案は以下の通りである。
【課題を解決するための手段】
【０００６】  本公開の実施例で一方面によると、無線充電通信方法において、前記方法は無線電力受信装置に応用され、  前記方法は、  無線充電過程の中で、緊急データの伝送が必要である場合、帯域内通信方式を使用して無線電力送信装置にデータパケットを送信するステップと、  前記無線充電過程の中で、非緊急データの伝送が必要である場合、帯域外通信方式を使用して前記無線電力送信装置に前記データパケットを送信するステップと、を含み、  前記緊急データの伝送遅延要求は、前記非緊急データの伝送遅延要求より高い。【０００７】  オプションで、前記無線充電過程の中で、前記緊急データの伝送が必要であると判断するステップは、  制御誤差のパケットCEP - 前記CEPは前記無線電力送信装置が電圧、電流、および動作周波数中の少なくとも一つを調節するように指示する - に含まれる制御誤差値を取得するステップと、  前記制御誤差値が誤差しきい値より大きい場合、前記無線充電過程の中で、前記緊急データの伝送が必要であると確定するステップと、  前記制御誤差値が前記誤差しきい値より小さい場合、前記無線充電過程の中で、前記非緊急データの伝送が必要であると確定するステップと、を含む。【０００８】  オプションで、前記無線充電過程の中で、前記緊急データの伝送が必要であると判断するステップは、  前記無線電力受信装置の出力電流を取得するステップと、  前記出力電流が第１しきい値より大きい場合、前記無線充電過程の中で、前記緊急データの伝送が必要であると確定するステップと、を含み、  前記帯域内通信方式を使用して前記無線電力送信装置に前記データパケットを送信するステップは、  前記帯域内通信方式を使用して前記無線電力送信装置に第１データパケット - 前記第１データパケットは電力伝送の停止を指示する - を送信するステップを含む。【０００９】  オプションで、前記無線充電過程の中で、前記緊急データの伝送が必要であると判断するステップは、  前記無線電力受信装置の装置温度を取得するステップと、  前記装置温度が第２しきい値より大きい場合、前記無線充電過程の中で、前記緊急データの伝送が必要であることと確定するステップと、  前記帯域内通信方式を使用して前記無線電力送信装置に前記データパケットを送信するステップは、  前記帯域内通信方式を使用して前記無線電力送信装置に第２データパケット - 前記第２データパケットは電力伝送の停止を指示する - を送信するステップを含む。【００１０】  オプションで、前記無線充電過程の中で、前記緊急データの伝送が必要であると判断するステップは、  前記無線電力受信装置のタイマーであって前記無線電力受信装置が第３データパケットを送信するようにトリガーする前記タイマーのタイマー状態を取得するステップと、  前記タイマー状態が時間切れ状態である場合、前記無線充電過程の中で、前記緊急データの伝送が必要であることと確定するステップと、を含み、  前記帯域内通信方式を使用して前記無線電力送信装置に前記データパケットを送信するステップは、  前記帯域内通信方式を使用して前記無線電力送信装置に前記第３データパケットを送信するステップを含む。【００１１】  オプションで、前記方法は、  前記無線充電過程の中で、前記緊急デー��の伝送が必要である場合、前記緊急データに対応する前記データパケットを優先的に生成するステップをさらに含む。【００１２】  オプションで、前記帯域外通信方式は、Bluetooth、近距離通信NFC及びZigBeeのうち少なくとも一つを含む。【００１３】  本公開の実施例の他の方面によると、無線充電通信方法において、前記方法は、無線電力送信装置に応用され、  前記方法は、  無線電力受信装置が送信したデータパケットを受信するステップと、  前記データパケットを送信するときに使用する通信方式であって帯域内通信方式と帯域外通信方式を含む前記通信方式を確定するステップと、  前記帯域内通信方式を使用して送信する前記データパケットを優先的に処理するステップと、を含む。【００１４】  オプションで、前記方法は、  第１予定時間内に前記帯域内通信方式を使用して送信される前記データパケットを受信できなかった場合、帯域内通信が失敗したことと確定するステップと、  第２予定時間内に前記帯域外通信方式を使用して送信される前記データパケットを受信できなかった場合、帯域外通信が失敗したことと確定するステップと、  前記帯域内通信が失敗し且つ前記帯域外通信が失敗した場合、無線充電を停止するステップと、を含む。【００１５】  オプションで、前記帯域外通信方式は、Bluetooth、NFC及びZigBeeのうち少なくとも一つを含む。【００１６】  本公開の実施例の他の方面によると、無線充電通信装置において、前記無線充電通信装置は無線電力受信装置に応用され、  前記無線充電通信装置は、  無線充電過程の中で、緊急データの伝送が必要である場合、帯域内通信方式を使用して無線電力送信装置にデータパケットを送信する帯域内通信モジュールと、  前記無線充電過程の中で、非緊急データの伝送が必要である場合、帯域外通信方式を使用して前記無線電力送信装置に前記データパケットを送信する帯域外通信モジュールと、を含み、  前記緊急データの伝送遅延要求は、前記非緊急データの伝送遅延要求より高い。【００１７】  オプションで、前記無線充電通信装置は、  制御誤差のパケットCEPに含まれる制御誤差値を取得し、前記CEPは前記無線電力送信装置が電圧、電流、および動作周波数中の少なくとも一つを調節するように指示する第１取得モジュールと、  前記制御誤差値が誤差しきい値より大きい場合には、前記無線充電過程の中で、前記緊急データの伝送が必要であると確定する第１確定モジュールと、  前記制御誤差値が前記誤差しきい値より小さい場合には、前記無線充電過程の中で、前記非緊急データの伝送が必要であると確定する非緊急データ確定モジュールとを含む。【００１８】  オプションで、前記無線充電通信装置は、  前記無線電力受信装置の出力電流を取得する第２取得モジュールと、  前記出力電流が第１しきい値より大きい場合には、前記無線充電過程の中で、前記緊急データの伝送が必要であると確定する第２確定モジュールと、を含む。【００１９】  オプションで、前記帯域内通信モジュールは、  前記帯域内通信方式を使用して前記無線電力送信装置に第１データパケットを送信し、前記第１データパケットは、電力伝送の停止を指示する第１通信サブモジュールを含む。【００２０】  オプションで、前記無線充電通信装置は、  前記無線��力受信装置の装置温度を取得する第３取得モジュールと、  前記装置温度が第２しきい値より大きい場合には、前記無線充電過程の中で、前記緊急データの伝送が必要であることを確定する第３確定モジュールと、を含む。【００２１】  オプションで、前記帯域内通信モジュールは、  前記帯域内通信方式を使用して前記無線電力送信装置に第２データパケットを送信し、前記第２データパケットは、電力伝送の停止を指示する第２通信サブモジュールを含む。【００２２】  オプションで、前記無線充電通信装置は、  前記無線電力受信装置のタイマーの時間切れ状態を取得し、前記タイマーは、前記無線電力受信装置が第３データパケットを送信するようにトリガーする第４取得モジュールと、  前記タイマー状態が時間切れ状態である場合には、前記無線充電過程の中で、前記緊急データの伝送が必要であることと確定する第４確定モジュールと、を含む。【００２３】  オプションで、前記帯域内通信モジュールは、  前記帯域内通信方式を使用して前記無線電力送信装置に前記第３データパケットを送信する第３通信サブモジュールを含む。【００２４】  オプションで、前記無線充電通信装置は、  前記無線充電過程の中で、前記緊急データの伝送が必要である場合、前記緊急データに対応するデータパケットを優先的に生成する優先生成モジュールをさらに含む。【００２５】  オプションで、前記帯域外通信方式は、Bluetooth、近距離通信NFC及びZigBeeのうち少なくとも一つを含む。【００２６】  本公開の実施例の他の方面によると、無線充電通信装置において、前記無線充電通信装置は無線電力送信装置に応用され、  前記無線充電通信装置は、無線電力受信装置が送信したデータパケットを受信するデータパケット受信モジュールと、  前記データパケットを送信するときに使用する通信方式であって帯域内通信方式と帯域外通信方式を含む前記通信方式を確定する通信方式確定モジュールと、  前記帯域内通信方式を使用して送信する前記データパケットを優先的に処理する優先処理モジュールと、を含む。【００２７】  オプションで、前記無線充電通信装置は、  第１予定時間内に前記帯域内通信方式を使用して送信される前記データパケットを受信できなかった場合、帯域内通信が失敗したことと確定する第１通信待機モジュールと、  第２予定時間内に前記帯域外通信方式を使用して送信される前記データパケットを受信できなかった場合、帯域外通信が失敗したことと確定する第２通信待機モジュールと、  前記帯域内通信が失敗し且つ前記帯域外通信が失敗した場合、無線充電を停止する通信停止モジュールと、を含む。【００２８】  オプションで、前記帯域外通信方式は、Bluetooth、NFC及びZigBeeのうち少なくとも一つを含む。【００２９】  本公開の実施例の他の方面によると、無線充電通信装置において、前記無線充電通信装置は無線電力送信装置に応用され、  前記無線充電通信装置は、  プロセッサと、  前記プロセッサの実行可能な命令を格納するメモリと、を含み、  前記プロセッサは、  無線充電過程の中で、緊急データの伝送が必要である場合、帯域内通信方式を使用して前記無線電力送信装置にデータパケットを送信し、  前記無線充電過程の中で、非緊急データの伝送が必要である場合、帯域��通信方式を使用して前記無線電力送信装置に前記データパケットを送信し、  前記緊急データの伝送遅延要求は、前記非緊急データの伝送遅延要求より高いように配置される。【００３０】  本公開の実施例の他の方面によると、無線充電通信装置において、前記無線充電通信装置は無線電力受信装置に応用され、  前記無線充電通信装置は、  プロセッサと、  前記プロセッサの実行可能な命令を格納するメモリと、を含み、  前記プロセッサは、  前記無線電力受信装置が送信したデータパケットを受信し、  前記データパケットを送信するときに使用する通信方式であって帯域内通信方式と帯域外通信方式を含む前記通信方式を確定し、  前記帯域内通信方式を使用して送信する前記データパケットを優先的に処理するように配置される。【００３１】  本公開の実施例の他の方面によると、コンピュータ読み取り可能な記憶媒体において、前記記憶媒体は、少なくとも一つの命令を格納し、前記少なくとも一つの命令は、プロセッサによって実行され、前記無線充電通信方法を実現する。【００３２】  本公開の実施例の他の方面によると、コンピュータ読み取り可能な記憶媒体において、前記記憶媒体は、少なくとも一つの命令を格納し、前記少なくとも一つの命令は、プロセッサによって実行され、前記無線充電通信方法を実現する。【００３３】  本公開の実施例の他の方面によると、無線充電システムにおいて、前記無線充電システムは無線電力受信装置と無線電力送信装置を含み、  前記無線電力受信装置は、前記無線電力受信装置を含み、  前記無線電力送信装置は、前記無線電力送信装置を含むことを特徴とする無線充電システム。【００３４】本公開の実施例の技術案は、次の有益な効果を得ることができる。【００３５】無線充電過程中で、緊急データの伝送が必要である場合、帯域内通信方式を使用して無線電力送信装置にデータパケットを送信する。無線充電過程の中で、非緊急データの伝送が必要である場合、帯域外通信方式を使用して無線電力送信装置にデータパケットを送信する。関連技術の単一の帯域内通信方式を使用することに比べて、本出願の実施例の方法において、非緊急データの伝送が必要である場合、通信品質が比較的に良い帯域外通信方式を使用して伝送遅延要求が比較的に低いデータパケットを送信することにより、データパケットの復調成功率を向上させることができ、緊急データの伝送が必要である場合は、帯域内通信方式を使用して伝送遅延要求が比較的に高いデータパケットを送信することにより、無線電力送信装置が緊急データの伝送が必要である状況下で、データパケットをすぐ処理することができる。【００３６】理解するのは、上記の一般的な説明と後述する詳細な説明は、単に例示的で解釈的なものであり、本開示を限定するものではない。
【図面の簡単な説明】
【００３７】
【図１】本出願の一例示的な実施形態による実施環境の環境例示図である。
【００３８】
【図２】本出願の一例示的な実施形態による無線電力送信装置と無線電力受信装置の構造例図である。
【００３９】
【図３】本出願の一例示的な実施形態による無線充電通信方法のフローチャートである。
【００４０】
【図４】本出願の別の一例示的な実施形態による無線充電通信方法のフローチャートである。
【００４１】
【図５】本出願の別の一例示的な実施形態による無線充電通信方法のフローチャートである。
【００４２】
【図６】本出願の別の一例示的な実施形態による無線充電通信方法のフローチャートである。
【００４３】
【図７】本出願の別の一例示的な実施形態による無線充電通信方法のフローチャートである。
【００４４】
【図８】本出願の一例示的な実施形態による無線充電通信装置の構造ブロック図である。
【００４５】
【図９】本出願の一例示的な実施形態による無線充電通信装置の構造ブロック図である。
【００４６】
【図１０】本出願の一例示的な実施形態による無線充電通信装置の構造図である。
【発明を実施するための形態】
【００４７】本発明の目的、技術方案と長所をさらに明確にするために、下記の図面と組み合わせて、本発明の実施例について詳細に説明する。
【００４８】本文に記載される「複数個」は、２つまたは２つ以上を指す。「および/または」は、関連先の関連関係を説明し、これは３つの関係が存在する。例えば、Aおよび/またはBは、Aが単独で存在するか、AとBが同時に存在するか、Bが単独で存在している３つの状況を示すことができ、符号「/」は、前後の関連対象が「または」の関係を指す。
【００４９】図１を参照すると、本出願の一例示的な実施形態による実施環境の環境例示図を示す。上記実施環境は、無線電力送信装置１０と無線電力受信装置２０を含む。
【００５０】無線電力送信装置１０は、無線充電中の電気機器に電力を提供する装置である。別の一の場面では、無線電力送信装置１０の名称が異なる場合があります。例えば、無線電力送信装置１０は、携帯電話、タブレット、ウェアラブル機器などのポータブル電子機器に対して無線充電する場合、無線電力送信装置１０は、充電器、充電ディスク、電源アダプタ、無線充電器などと呼ぶことができる。また、例えば、無線電力送信装置１０が電動自動車等の交通ツールに対して無線充電する場合には、無線電力送信装置１０は、充電ダミー（Charging pile）、無線充電ダミーなどと呼ぶことができる。
【００５１】無線電力受信装置２０は、無線充電中の電力を受信する装置であり、つまり、電気装置である。無線電力受信装置２０は、無線充電を支持する任意の電気装置であることができる。例えば、携帯電話、タブレット、ウェアラブル機器、電動自動車などのデバイスであることができ、本開示の実施例は、これについて限定しない。
【００５２】実施可能な実施例において、無線電力送信装置１０と無線電力受信装置２０との間の無線充電通信方式は、帯域内通信または帯域外通信中の少なくとも一つを含む。ここで、帯域内通信は、無線充電の動作周波数帯域に基づいて通信する方式であり、帯域外通信は、無線充電の非動作周波数帯を使用して通信する方式である。図１に、帯域内通信の過程の中で、無線電力送信装置１０と無線電力受信装置２０は、無線充電の動作周波数帯域に基づいて通信を行い、帯域外通信過程の中で、無線電力送信装置１０と無線電力受信装置２０は、帯域外通信アセンブリを介して、帯域外通信アセンブリの動作周波数帯域（無線充電の動作周波数帯域非周波数帯域）での通信を行う。オプションで、前記帯域外通信アセンブリは、Bluetoothチップ、NFCチップ、ZigBeeチップのうちの少なくとも一つであることができる。
【００５３】図１の基礎上、図２に示すように、無線電力送信装置１０と無線電力受信装置２０は、Bluetoothチップを介して帯域外通信を行うものである一例として説明する。
【００５４】図２に示すように、無線電力送信装置１０は、無線電力送信チップ１０１、第１CPU１０２、第１Bluetoothチップ１０３を含み、無線電力送信チップ１０１は第１CPU１０２と接続され、第１CPU１０２は第１Bluetoothチップ１０３と接続される。無線電力受信装置２０は、無線電力受信チップ２０１、第２CPU２０２及び第２Bluetoothチップ２０３を含み、無線電力受信チップ２０１は、第２CPU２０２と接続され、第２CPU２０２は、第２Bluetoothチップ２０３と接続される。
【００５５】帯域外通信過程の中で、無線電力受信装置２０は、無線電力受信チップ２０１を介して第２CPU２０２と通信を行い、伝送が必要なデータパケットを第２CPU２０２に送信し、第２CPU２０２はデータパケットを第２Bluetoothチップ２０３に送信し、第２Bluetoothチップ２０３はBluetooth接続（帯域外通信）を介してデータパケットを第１Bluetoothチップ１０３に送信する。対応的に、無線電力送信装置１０は、第１Bluetoothチップ１０３を介して無線電力受信装置２０の帯域外伝送のデータパケットを受信した後、上記データパケットを第１CPU１０２に送信し、第１CPU１０２は、データパケットを無線電力送信チップ１０１に送信して、無線電力送信チップ１０１が前記データパケットに対して解析処理を行う。同様に、無線電力送信装置１０は、同じようなプロセスを介して無線電力受信装置２０が送信したデータパケットに対してフィードバックする。本実施例は、これについて省略する。
【００５６】図３を参照すると、本出願の一例示的な実施形態による無線充電通信方法のフローチャートを示す。本実施例は、上記の方法を、図１に示される実施環境に応用することを一例として説明する。
【００５７】上記の方法は、以下のステップを含む。
【００５８】ステップ３０１において、無線充電の過程の中で、緊急データの伝送が必要である場合、無線電力受信装置は帯域内通信方式を使用して無線電力送信装置にデータパケットを送信する。
【００５９】実施可能な実施例において、無線電力受信装置は、装置が緊急データの伝送が必要であるか、非緊急データを送信することが必要であるかどうかを判断する。緊急データを送信することが必要である場合、ステップ３０１を実行し、非緊急データを送信することが必要である場合、ステップ３０２を実行する。オプションで、緊急データの伝送遅延要求が非緊急データの伝送遅延要求より高い。つまり、非緊急データに比べて、緊急データがより迅速に無線電力送信装置に送信する必要があり、これにより、無線電力送信装置ができるだけ早く処理できるようにする。
【００６０】オプションで、帯域内通信は、発射端（無線電力送信装置）と受信端（無線電力受信装置）との間に２つの通信リンクが存在する。ここで、受信端から発射端までの通信は、振幅シフトキーイング（Amplitude Shift Keying、ASK）の調整方式を使用し、発射端から受信端までの通信は、周波数偏移キーイング（Frequency Shift Keying、FSK）の調整方式を使用する。
【００６１】緊急データの伝送が必要である場合、無線電力受信装置は、現在の緊急データの伝送が必要である状況に基づいて対応するデータパケットを生成し、ASK調節方式を使用して無線電力送信装置にデータパケットを送信し、無線電力送信装置が受信したデータパケットに対して処理するように指示する。
【００６２】ステップ３０２において、無線充電の過程の中で、非緊急データの伝送が必要である場合、無線電力受信装置は、帯域外通信方式を使用して無線電力送信装置にデータパケットを送信する。
【００６３】非緊急データは、緊急データを排除した伝送データである。非緊急データの伝送遅延要求は、緊急データの伝送遅延要求より低い。無線電力受信装置は、帯域外通信を介してデータパケットの送信を行う。帯域外通信は、帯域内通信の伝送遅延に比べてより長い、その通信品質は、帯域内通信より高い。したがって、非緊急データを送信するとき、無線電力受信装置は、帯域外通信方式を使用してデータパケットを送信することによって、データパケットの伝送品質を保証し、無線電力送信装置は、データパケットの解釈成功率を向上させることができる。
【００６４】ここで、無線電力受信装置が帯域外通信を使用する場合は、帯域外通信機能をオンさせる必要がある。実施可能な応用場面において、携帯電話（無線電力受信装置）と無線充電プレート（無線電力送信装置）との間に帯域外通信を行い、帯域外通信方式がBluetooth方式の場合、携帯電話のインタフェースには提示画面が表示される。提示画面は、手動でBluetooth機能をオンさせるとユーザに知らせるためのものであり、または、携帯電話のバックエンドでBluetoothの自動的にオンさせて、携帯電話と無線充電プレートとの間の帯域外通信を実現することができる。
【００６５】ステップ３０３において、無線電力送信装置は、無線電力受信装置が送信したデータパケットを受信する。
【００６６】無線充電過程で、無線電力送信装置は、帯域内通信モードと帯域外通信モードを行う。関連技術において、無線電力送信装置は、無線充電の過程の中で、帯域内通信方式のみ通じて無線電力受信装置が送信したデータパケットを受信する。本出願の実施例において、無線電力送信装置は、帯域内通信モードと帯域外通信モードを同時に行うことにより、無線電力受信装置が帯域内通信または帯域外通信によって送信したデータパケットがすべて正常に受信されることができるようにする。
【００６７】オプションで、無線充電過程（例えば、識別配置ステップ）に入る前に、無線電力送信装置は、無線電力受信装置が帯域外通信を支持するかどうかを検出し、支持する場合には、無線充電の過程の中で同時に帯域内通信モードと帯域外通信モードを行う。支持できない場合には、帯域内の通信モードのみ行う。
【００６８】ステップ３０４において、無線電力送信装置は、データパケットを送信するときに使用される通信方式を決定する。
【００６９】ここで、通信方式は、帯域内通信方式と帯域外通信方式を含む。オプションで、無線電力送信装置は、無線電力受信装置が帯域内通信方式を利用して発送されたデータパケットを受信し、および/または、無線電力受信装置が帯域外通信方式を利用して発送されたデータパケットを受信する。
【００７０】実施可能な実施例において、無線電力送信装置は、データパケットを受信した後、無線電力受信装置がデータパケットを送信するときに使用する通信方式を確定する。無線電力受信装置は、緊急データの伝送が必要であるときに送信されるデータパケットを帯域内通信方式を使用することと確定し、無線電力受信装置は、非緊急データの伝送が必要であるときに送信されるデータパケットを帯域外通信方式を使用することと確定する。
【００７１】ステップ３０５において、無線電力送信装置は、帯域内通信方式を使用して送信するデータパケットを優先的に処理する。
【００７２】オプションで、無線電力送信装置が緊急データの処理速度を向上させ、無線電力受信装置の緊急状態をできるだけ早く解除するために、異なる通信方式で送信するデータパケットは異なる処理の優先順位を持つ。無線電力送信装置は、受信順に処理するのではなく、処理の優先順位に基づいて、データパケットに対して処理する。
【００７３】実施可能な実施例において、無線電力送信装置は、帯域内通信方式を介して送信するデータパケットの帯域外通信方式を介して送信するデータパケットを受信する。ここで、帯域内通信方式を介して送信するデータパケットの処理の優先順位は、帯域外通信方式を介して送信するデータパケットの処理の優先順位より高い。つまり、無線電力送信装置が帯域内通信方式を介して送信するデータパケットを受信する場合は、帯域内通信方式を介して送信するデータパケットを優先的に処理する。
【００７４】上記のように、本開示の実施例において、無線充電の過程の中で、緊急データの伝送が必要である場合は、帯域内通信方式を使用して無線電力送信装置にデータパケットを送信する。無線充電過程の中で、非緊急データの伝送が必要である場合は、帯域外通信方式を使用して無線電力送信装置にデータパケットを送信する。関連技術の単一の帯域内通信方式を使用することに比べて、本出願の実施例の方法を使用する場合は、非緊急データの伝送が必要であるときに、通信品質が比較的良い帯域外通信方式を使用して伝送遅延要求が比較的に低いデータパケットを送信することにより、データパケットの復調成功率を向上させることができる。緊急データの伝送が必要であるときに、帯域内通信方式を使用して伝送遅延要求が比較的に高いデータパケットを送信することにより、無線電力送信装置が緊急データの伝送が必要である状況下で、データパケットをすぐ処理することができる。
【００７５】緊急データの処理効率を向上させるために、無線電力受信装置がデータパケットを生成する過程に対して、実施可能な実施例において、無線充電の過程の中で、緊急データの伝送が必要である場合、無線電力受信装置は、緊急データに対応するデータパケットを優先的に生成し、非緊急データの伝送が必要である場合、無線電力受信装置は、緊急データに対応するデータパケットを生成した後、非緊急データに対応するデータパケットを生成する。
【００７６】実施可能な実施例において、無線充電の過程の中で、無線電力受信装置は、下記の少なくとも一つの緊急状態で緊急データの伝送が必要であることを確定する。つまり、CEPに含まれる制御誤差値が誤差しきい値より大きい場合、無線電力受信装置の出力電流が第１しきい値より大きい場合、無線電力受信装置の装置温度が第２しきい値より大きい場合、無線電力受信装置のタイマーのタイマー状態が時間切れ状態にある場合である。その後、例示的な実施例を使用して、上記各種緊急データの伝送が必要である状況について説明する。
【００７７】図４を参考にすれば、本出願の別の一例示的な実施形態による無線充電通信方法のフローチャートを示す。当該実施例は、CEPに係る緊急状態を一例として説明する。
【００７８】上記の方法は、以下のステップを含む。
【００７９】ステップ４０１において、無線電力受信装置は、CEPに含まれる制御誤差値を取得する。
【００８０】ここで、CEPは、無線電力送信装置が電圧、電流、および動作周波数のうちの少なくとも一つを調節することを指示する。CEPは制御誤差値が含まれ、前記制御誤差値の範囲は、-１２８から+１２７の間に存在し、すなわち、制御誤差値は正と負を有する。
【００８１】関連技術において、無線充電の過程の中で、無線電力受信装置は、予定の時間間隔（例えば、２５０ms）に応じて帯域内通信方式を介して無線電力送信装置にCEPを発送し、無線電力送信装置は、CEPを受信してCEPに含まれる制御誤差値を復調する。制御誤差の値が正の場合には、無線電力送信装置は、１次コイルの電流（１次コイルは、無線電力送信装置内に位置する）を向上させて自分の電圧を向上させ、または無線電力送信装置の電圧が最大値に達した場合には、自分の動作周波数を降下させる。制御誤差値が負の場合には、無線電力送信装置は、１次コイルの電流を降下させて自分の動作周波数を向上させ、または無線電力送信装置の動作周波数が最大値に達した場合には、自分の電圧を降下させる。
【００８２】本発明の実施例において、無線電力受信装置は、CEPを送信する前に、CEPの制御誤差値に対して検出し、制御誤差値が誤差しきい値より大きいかを判断する。制御誤差値が誤差しきい値より大きい場合は、ステップ４０２を実行して、制御誤差値が誤差しきい値より小さい場合は、ステップ４０４を実行する。
【００８３】オプションで、前記誤差限界値が正であり、無線電力受信装置が制御誤差値との誤差のしきい値を比較するとき、制御誤差値の絶対値との誤差のしきい値を比較する。
【００８４】ステップ４０２において、制御誤差値が誤差しきい値より大きい場合には、無線電力受信装置は、無線充電過程中、緊急データの伝送が必要であると確定し、帯域内通信方式を使用して無線電力送信装置にCEPを送信する。
【００８５】制御誤差値が誤差しきい値より大きい場合には、無線電力送信装置の調整量が比較的に大きい（比較的に大きな電流、電圧または動作周波数を調整する必要がある）ことを示す。無線電力送信装置の調整が遅すぎれば、無線電力受信装置が損傷する可能性が存在するので、制御誤差値が誤差しきい値より大きい場合には、無線電力受信装置は、帯域内通信方式を使用してCEPを送信することにより、無線電力受信装置がCEPをできるだけ早く無線電力送信装置に送信するようにすることができ、これによって、無線電力送信装置は、緊急データの伝送が必要である状況下でCEPに対してすぐ処理することができる。
【００８６】一例示的な実施形態において、制御誤差値が-９０であり、検出された制御誤差値の絶対値が誤差しきい値８０より大きい場合には、無線電力受信装置は、無線充電過程中、緊急データの伝送が必要であると確定し、帯域内通信方式を使用して無線電力送信装置にCEPを送信する。
【００８７】ステップ４０３において、無線電力送信装置は、無線電力受信装置が帯域内通信方式を使用して送信するCEPを受信する。
【００８８】無線電力送信装置は、帯域内通信と帯域外通信を同時に行うので、無線電力受信装置が帯域内通信方式を使用してCEPを送信するときに、無線電力送信装置は、帯域内通信方式によってCEPをすぐ受信することができる。
【００８９】ステップ４０４において、制御誤差値が誤差しきい値より小さい場合には、無線電力受信装置は、無線充電の過程の中で、非緊急データの伝送が必要であると確定し、帯域外通信方式を使用して無線電力送信装置にCEPを送信する。
【００９０】制御誤差値が誤差しきい値より小さい場合には、無線電力送信装置の調整量が比較的に小さいので、無線電力送信装置が調整することが比較的に遅くても、無線電力受信装置に対して大きな影響を与えない。したがって、無線充電の過程の中で、非緊急データの伝送が必要である場合、無線電力受信装置は、通信品質が比較的に良くかつ伝送遅延が比較的に高い帯域外通信方式を使用してCEPを送信することにより、CEPの伝送品質を保証することができ、無線電力送信装置がCEPの解釈成功率を向上させることができる。
【００９１】一例示的な実施形態において、制御誤差値が+１０であり、検出された制御誤差値の絶対値が誤差しきい値８０より小さい場合には、無線電力受信装置は、無線充電の過程の中で、非緊急データの伝送が必要であると確定し、帯域外通信方式を使用して無線電力送信装置にCEPを送信する。
【００９２】ステップ４０５において、無線電力送信装置は、無線電力受信装置が帯域外通信方式を使用して送信するCEPを受信する。
【００９３】同様に、無線電力送信装置は、帯域内通信と帯域外通信を同時に行うので、無線電力受信装置が帯域外通信方式を使用してCEPを送る場合、無線電力送信装置は、帯域外通信方式によってCEPをすぐ受信することができる。
【００９４】ステップ４０６において、無線電力送信装置は、帯域内通信方式を使用して送信するCEPを優先的に処理する。
【００９５】対応的に、無線電力送信装置は、CEPを取得し、CEP中の制御誤差値に基づいて、電圧、電流、および動作周波数中の少なくとも一つを調節する。
【００９６】実施可能な実施例において、無線電力送信装置は、帯域内通信方式を使用して送信するCEPと帯域外通信方式を使用して送信するCEPを受信する。ここで、帯域内通信方式を使用して送信するCEPの処理の優先順位は、帯域外通信方式を使用して送信するCEPの処理の優先順位より高い。つまり、無線電力送信装置が帯域内通信方式を使用して送信するCEPを受信した場合には、帯域内通信方式を使用して送信するCEPを優先的に処理することができる。
【００９７】本実施例において、無線充電の過程の中で、無線電力受信装置は、CEPに含まれる制御誤差値を取得する。制御誤差値が誤差しきい値より大きい場合は、無線充電の過程の中で、緊急データの伝送が必要であることと確定し、帯域内通信方式を使用して無線電力送信装置にCEPを送信する。制御誤差値が誤差しきい値より小さい場合は、無線充電の過程の中で、非緊急データの伝送が必要であることと確定し、帯域外通信方式を使用して無線電力送信装置にCEPを送信する。関連技術の単一の帯域内通信方式を使用してCEPを送信することに比べて、本出願の実施例の方法によると、無線充電の過程の中で、緊急データの伝送が必要である場合、通信品質が比較的に良い帯域外通信方式を使用して伝送遅延要求が比較的に低いCEPを送信することにより、CEPの復調成功率を向上させることができる。無線充電過程の中で、非緊急データの伝送が必要である場合は、帯域内通信方式を使用して伝送遅延要求が比較的に高いCEPを送信することにより、無線電力送信装置は、緊急データの伝送が必要である状況下CEPに対してすぐ処理することができる。
【００９８】図５を参照すると、本出願の別の一例示的な実施形態による無線充電通信方法のフローチャートを示す。当該実施例は、出力電流に係る緊急状態を一例として説明する。
【００９９】上記の方法は、次のステップを含む。
【０１００】ステップ５０１において、無線電力受信装置は、無線電力受信装置の出力電流を取得する。
【０１０１】実施可能な実施例において、無線電力受信装置の出力電流異常は電流短絡と受信された電力が過大さと相関することができる。出力電流異常の状況で、継続して無線充電を進行すれば、無線電力受信装置が損傷することができるので、無線充電の過程の中で、無線電力受信装置は、出力電流を継続的に取得して、出力電流が第１しきい値より大きいかを検出する。もし第１しきい値より大きければ、出力電流異常と確定し、ステップ５０２を実行する。
【０１０２】ステップ５０２において、出力電流が第１しきい値より大きい場合には、無線電力受信装置は、無線充電過程中で、緊急データの伝送が必要であると確定し、帯域内通信方式を使用して無線電力送信装置に第１データパケットを送信する。
【０１０３】無線電力送信装置の安全性を確保するために、出力電流が第１しきい値より大きい場合には、無線電力受信装置は、現在の無線充電過程中で、緊急データの伝送が必要であると確定し、伝送遅延が高い帯域外通信方式を使用せずに、伝送遅延が比較的に低い帯域内通信方式を使用して無線電力送信装置に第１データパケットを送信する。
【０１０４】ここで、緊急データの伝送が必要である場合、第１データパケットは、電力伝送を停止するように指示する。前記第１データパケットは、QIプロトコルに基づいて（End Power Transfer、EPT）パケットの送信を終了することができる。本実施例は、これについて限定しない。
【０１０５】一例示的な実施形態において、無線電力受信装置が取得した現在の出力電流が２Aであり、現在の出力電流が第１しきい値１Aより大きい場合には、無線電力受信装置は、無線充電過程中で、緊急データの伝送が必要であると確定し、帯域内通信方式を使用して無線電力送信装置にEPTパケットを送信する。
【０１０６】ステップ５０３において、無線電力送信装置は、無線電力受信装置が帯域内通信方式を使用して送信する第１データパケットを受信する。
【０１０７】無線電力送信装置は、帯域内通信と帯域外通信を同時に行うので、無線電力受信装置が帯域内通信方式を使用して第１データパケットを送信する場合には、無線電力送信装置は、帯域内通信方式により、第１データパケットをすぐ受信することができる。
【０１０８】ステップ５０４において、無線電力送信装置は、第１データパケットに対して復調処理を行う。
【０１０９】実施可能な実施例において、緊急データの伝送が必要である場合、無線電力送信装置は、第１データパケットを取得し、第１データパケットに基づいて電力伝送を停止する。無線電力受信装置の出力電流が正常範囲内に存在する場合には、無線電力受信装置と無線電力送信装置は、無線充電通信を再確立して、電力伝送を行う。
【０１１０】本実施例において、無線充電の過程の中で、無線電力受信装置は、自分の出力電流を取得し、出力電流が第１しきい値より大きい場合は、無線充電の過程の中で、緊急データの伝送が必要であることと確定して、送信遅延が比較的に低い帯域内通信方式を使用して無線電力送信装置に、第１データパケットを送信することにより、無線電力送信装置は、第１データパケットに基づいて電力伝送を直ちに停止させることができ、継続的な電力伝送が無線電力受信装置に対して損傷することを避けることができる。
【０１１１】図６を参照すると、本出願の別の一例示的な実施形態による無線充電通信方法のフローチャートを示す。当該実施例は、装置温度と関連している緊急状態を一例として説明する。
【０１１２】上記の方法は、以下のステップを含む。
【０１１３】ステップ６０１において、無線電力受信装置は、無線電力受信装置の装置温度を取得する。
【０１１４】デバイスが充電する過程で熱を発生する。デバイスの温度が高すぎる場合に、継続的に充電すると、デバイスに損傷を与える可能性があるので、無線電力受信装置は、無線充電過程中のデバイスの温度を継続的に取得し、デバイスの温度が第２しきい値より大きいかを検出する。第２しきい値より大きい場合には、装置温度が高いことと確定し、ステップ６０２を実行する。
【０１１５】図２に示された構造において、実施可能な実施例において、無線電力受信装置が装置温度を取得する必要がある場合には、無線電力受信チップ２０１は、第２CPU２０２に装置温度の取得請求を発送して、第２CPU２０２は、前記請求を受信した後、現在のデバイスの温度を無線電力受信チップ２０１にフィードバックし、無線電力受信チップ２０１は、取得されたデバイスの温度と第２しきい値と比較し、無線充電の過程の中で、緊急データの伝送が必要かどうかを判断する。デバイスの温度が第２しきい値より高い場合には、無線充電の過程の中で、緊急データの伝送が必要であると確定する。
【０１１６】ステップ６０２において、装置温度が第２しきい値より大きい場合には、無線電力受信装置は、無線充電過程中で、緊急データの伝送が必要であると確定し、帯域内通信方式を使用して無線電力送信装置に第２データパケットを送信する。
【０１１７】無線電力送信装置の安全性を確保するために、デバイスの温度が第２しきい値より大きい場合には、無線電力受信装置は、現在の無線充電過程中で、緊急データの伝送が必要であると確定し、伝送遅延が比較的に高い帯域外通信方式を使用せずに、伝送遅延が比較的に低い帯域内通信方式を使用して無線電力送信装置に第２データパケットを送信する。
【０１１８】ここで、緊急データの伝送が必要である場合、第２データパケットは、電力伝送を停止するように指示する。前記第２データパケットは、EPTパケットであることができ、本実施例では、これに対して限定しない。
【０１１９】一例示的な実施形態において、無線電力受信装置が取得された現在のデバイスの温度が６０摂氏度であり、現在のデバイスの温度が第２しきい値５０摂氏度より大きいので、無線電力受信装置は、無線充電の過程の中で緊急データの伝送が必要であると確定し、帯域内通信方式を使用して無線電力送信装置にEPTパケットを送信する。
【０１２０】ステップ６０３において、無線電力送信装置は、無線電力受信装置が帯域内通信方式を使用して送信する第２データパケットを受信する。
【０１２１】無線電力送信装置は、帯域内通信と帯域外通信を同時に行うので、無線電力受信装置が帯域内通信方式を使用して第２データパケットを送信する場合、無線電力送信装置は、帯域内通信方式によって第２データパケットをすぐ受信することができる。
【０１２２】ステップ６０４において、無線電力送信装置は、第２データパケットに対して復調処理する。
【０１２３】実施可能な実施例において、緊急データの伝送が必要である場合、無線電力送信装置は、第２データパケットを取得し、第２データパケットに基づいて電力伝送を停止する。無線電力受信装置の装置温度が正常の範囲内に存在する場合には、無線電力受信装置と無線電力送信装置は、無線充電通信を再確立して、電力伝送を行う。
【０１２４】本実施例において、無線充電の過程の中で、無線電力受信装置は、自分の装置温度を取得し、デバイスの温度が第２しきい値より大きい場合は、無線充電の過程の中で、緊急データの伝送が必要であると確定することにより、伝送遅延が比較的に低い帯域内通信方式を使用して無線電力送信装置に第２データパケットを送信するので、無線電力送信装置が第２データパケットに基づいて電力伝送を直ちに停止させることができ、継続的な電力伝送が無線電力受信装置に損傷を与えることを避けることができる。
【０１２５】図７を参照すると、本出願の別の一例示的な実施形態による無線充電通信方法のフローチャートを示す。当該実施例は、タイマー状態と関連している緊急状態を一例として説明する。
【０１２６】上記の方法は、以下のステップを含む。
【０１２７】ステップ７０１において、無線電力受信装置は、無線電力受信装置のタイマーのタイマー状態を取得する。
【０１２８】ここで、前記タイマーは、タイマーの時間に達したとき、無線電力受信装置が無線電力送信装置に第３データパケットを送信するようにトリガーする。前記第３データパケットは、無線電力送信装置が送信電力の調整、伝送電流の調整、送信電圧の調整や電力伝送の停止などを指示する。本出願の実施例は、第３データパケットの具体的な用途について限定しない。
【０１２９】実施可能な実施例において、第１タイマーのタイマー時間は、第１時間であり、第１タイマーは、第１時間に達した場合、無線電力受信装置が無線電力送信装置にEPTパケットを送信するようにして、電力伝送を停止させる。または、第２タイマーのタイマー時間は、第２時間であり、第２タイマーは、第２時間に達した場合、無線電力受信装置が無線電力送信装置にCEPを送信するようにして、無線電力送信装置が送信電力を降下させるようにする。
【０１３０】オプションで、タイマー状態は時間切れ状態（タイマー時間に到達した状態）と時間でない状態（タイマー時間に達していない状態）を含む。タイマー状態が時間切れ状態であることが検出された場合には、無線電力受信装置は、ステップ７０２を実行して、タイマー状態が時間でない状態であることが検出された場合には、無線電力受信装置は、タイマー状態を継続して検出する。
【０１３１】ステップ７０２において、タイマー状態が時間切れ状態である場合には、無線電力受信装置は、無線充電過程中で、緊急データの伝送が必要であることと確定し、帯域内通信方式を使用して無線電力送信装置に第３データパケットを送信する。
【０１３２】無線電力送信装置が第３データパケットをできるだけ早く処理できるようにするために、タイマーが時間切れ状態である場合には、無線電力受信装置は、伝送遅延が比較的に高い帯域外通信方式を使用せずに、伝送遅延が比較的に低い帯域内通信方式を使用して第３データパケットを送信する。
【０１３３】オプションで、帯域内通信方式を使用して無線電力送信装置に第３データパケットを送信した後、無線電力受信装置はタイマーをオフさせる。
【０１３４】ステップ７０３において、無線電力送信装置は、無線電力受信装置が帯域内通信方式を使用して送信する第３データパケットを受信する。
【０１３５】無線電力送信装置は、帯域内通信と帯域外通信を同時に行うので、無線電力受信装置が帯域内通信方式を使用して第３データパケットを送信する場合、無線電力送信装置が帯域内通信方式により第３データパケットをすぐ受信することができる。
【０１３６】ステップ７０４において、無線電力送信装置は、第３データパケットに対して復調処理する。
【０１３７】実施可能な実施例において、無線電力送信装置が第１タイマーが時間切れ状態のときに第３データパケット（EPTパケット）を送信する場合、無線電力送信装置は、第３データパケットに基づいて電力伝送を停止する。無線電力送信装置が第２タイマーが時間切れ状態のときに第３データパケット（CEP）を送信する場合、無線電力送信装置は、第３データパケットに基づいて、電圧、電流、または動作周波数中の少なくとも一つを調整して、送信電力を降下させる。
【０１３８】本実施例において、無線充電の過程の中で、無線電力受信装置は、タイマーのタイマー状態を取得し、タイマー状態が時間切れ状態のときに、無線充電過程中で、緊急データの伝送が必要であると確定することにより、伝送遅延が比較的に低い帯域内通信方式を使用して無線電力送信装置に第３データパケットを送信して、無線電力送信装置が緊急データの伝送が必要である状況下で第３データパケットに対してすぐ処理することができる。
【０１３９】関連技術において、帯域内通信を使用する場合は、無線電力送信装置が予定時間内（例えば、１.２５s）に無線電力受信装置が送信したデータパケットを受信できなかった場合には、無線電力送信装置は、電力出力を停止して、エネルギー消費を降下させる。
【０１４０】本出願の各実施例において、装置の間には、帯域内と帯域外の２つの通信方式が存在するので、帯域内通信と帯域外通信は、それぞれの遅延メカニズムを備える。実施可能な実施例において、第１予定時間内（例えば、１.２５s）に帯域内通信方式を使用して送信されるデータパケットを受信できなかった場合には、無線電力送信装置は、帯域内通信が失敗したと確定する。第２予定時間内（例えば、３s）に帯域外通信方式を使用して送信されるデータパケットを受信できなかった場合には、無線電力送信装置は、帯域外通信が失敗したと確定する。オプションで、第１予定時間は、第２予定時間より小さい。また、帯域内通信が失敗し且つ帯域外通信が失敗した場合には、無線電力送信装置は、電力の出力を停止して、エネルギー消費を降下させることができる。
【０１４１】ただし、上記各実施例において、無線電力送信装置が実行主体としたステップが無線電力送信装置側に無線充電通信方法を実現することができ、無線電力受信装置が実行主体としたステップが無線電力受信装置側に無線充電通信方法を実現することができる。本実施例は、これについて限定しない。
【０１４２】図８を参照すると、本出願の一実施形態に係る無線充電通信装置の構造ブロック図である。上記装置は、ソフトウェア、ハードウェア、または両者の組み合わせを介して無線電力受信装置の全部または一部を実現することができる。
【０１４３】上記装置は、帯域内通信モジュール８０１と帯域外通信モジュール８０２を含む。
【０１４４】帯域内通信モジュール８０１は、無線充電の過程の中で、緊急データの伝送が必要である場合は、帯域内通信方式を使用して無線電力送信装置にデータパケットを送信する。
【０１４５】帯域外通信モジュール８０２は、無線充電の過程の中で、非緊急データの伝送が必要である場合は、帯域外通信方式を使用して前記無線電力送信装置にデータパケットを送信する。
【０１４６】ここで、前記緊急データの伝送遅延要求は、上記非緊急データの伝送遅延要求より高い。
【０１４７】オプションで、前記装置は、第１取得モジュールは、第１確定モジュール、非緊急データ確定モジュールをさらに含む。
【０１４８】第１取得モジュールは、制御誤差のパケットCEPに含まれる制御誤差値を取得し、前記CEPは、前記無線電力送信装置が電圧、電流、および動作周波数中の少なくとも一つを調節するように指示する。
【０１４９】第１確定モジュールは、前記制御誤差値が誤差しきい値より大きい場合には、無線充電の過程の中で、上記緊急データの伝送が必要であると確定する。
【０１５０】非緊急データ確定モジュールは、前記制御誤差値が上記誤差しきい値より小さい場合には、無線充電の過程の中で、上記非緊急データの伝送が必要であると確定する。
【０１５１】オプションで、前記装置は、第２取得モジュールと、第２確定モジュールをさらに含むことができる。
【０１５２】第２取得モジュールは、前記無線電力受信装置の出力電流を取得する。
【０１５３】第２確定モジュールは、上記出力電流が第１しきい値より大きい場合には、無線充電の過程の中で、上記緊急データの伝送が必要であると確定する。
【０１５４】オプションで、前記帯域内通信モジュール８０１は、第１通信サブモジュールを含む。
【０１５５】第１通信サブモジュールは、上記帯域内通信方式を使用して前記無線電力送信装置に第１データパケットを送信し、前記第１データパケットは電力伝送の停止を指示する。
【０１５６】オプションで、前記装置は、第３取得モジュールと、第３確定モジュールをさらに含むことができる。
【０１５７】第３取得モジュールは、前記無線電力受信装置の装置温度を取得する。
【０１５８】第３確定モジュールは、上記装置温度が第２しきい値より大きい場合には、無線充電の過程の中で、上記緊急データの伝送が必要であることと確定する。
【０１５９】オプションで、前記帯域内通信モジュール８０１は、第２通信サブモジュールを含む。
【０１６０】第２通信サブモジュールは、上記帯域内通信方式を使用して前記無線電力送信装置に第２データパケットを送信し、前記第２データパケットは電力伝送の停止を指示する。
【０１６１】オプションで、前記装置は、第４取得モジュールと第４確定モジュールをさらに含む。
【０１６２】第４取得モジュールは、前記無線電力受信装置のタイマーのタイマー状態を取得し、前記タイマーは、前記無線電力受信装置が第３データパケットを送信するようにトリガーする。
【０１６３】第４確定モジュールは、上記タイマー状態が時間切れ状態である場合には、無線充電の過程の中で、上記緊急データの伝送が必要であることを確定する。
【０１６４】オプションで、前記帯域内通信モジュール８０１は、第３通信サブモジュールを含む。
【０１６５】第３通信サブモジュールは、上記帯域内通信方式を使用して前記無線電力送信装置に前記第３データパケットを送信する。
【０１６６】オプションで、前記装置は、優先生成モジュールをさらに含む。
【０１６７】優先生成モジュールは、無線充電の過程の中で、上記緊急データの伝送が必要である場合、上記緊急データに対応するデータパケットを優先的に生成する。
【０１６８】オプションで、前記帯域外通信方式は、Bluetooth、近距離通信NFCとZigBeeのうち少なくとも一つを含む。
【０１６９】図９を参照すると、本出願の他の一実施形態に係る無線充電通信装置の構造ブロック図である。上記装置は、ソフトウェア、ハードウェア、または両者の組み合わせによって、無線電力送信装置の全部または一部を実現することができる。
【０１７０】上記装置は、データパケット受信モジュール９０１、通信方式確定モジュール９０２は、優先処理モジュール９０３を含むことができる。
【０１７１】データパケット受信モジュール９０１は、無線電力受信装置が送信したデータパケットを受信する。
【０１７２】通信方式確定モジュール９０２は、上記データパケットを送信するときに使用する通信方式を確定し、前記通信方式は、帯域内通信方式と帯域外通信方式を含む。
【０１７３】優先処理モジュール９０３は、上記帯域内通信方式を使用して送信するデータパケットを優先的に処理する。
【０１７４】オプションで、前記装置は、第１通信待機モジュール、第２通信待機モジュール、通信停止モジュールをさらに含む。
【０１７５】第１通信待機モジュールは、第１予定時間内に上記帯域内通信方式を使用して送信されるデータパケットを受信できなかった場合には、帯域内通信が失敗したことと確定する。
【０１７６】第２通信待機モジュールは、第２予定時間内に上記帯域外通信方式を使用して送信されるデータパケットを受信できなかった場合には、帯域外通信が失敗したことと確定する。
【０１７７】通信停止モジュールは、帯域内通信が失敗し且つ帯域外通信が失敗した場合、無線充電を停止する。
【０１７８】オプションで、前記帯域外通信方式は、Bluetooth、NFCとZigBeeのうち少なくとも一つを含む。
【０１７９】図１０を参照すると、本出願の一例示的な実施形態による無線充電通信装置１０００の構造ブロック図を示す。前記無線充電通信１０００は、無線電力受信装置または無線電力送信装置を実現することができる。本出願の無線充電通信装置１０００は、プロセスユニット１００２、メモリ１００４、電源ユニット１００６、マルチメディアユニット１００８、オーディオユニット１０１０、入出力（I / O）インタフェース１０１２、センサーユニット１０１４と通信ユニット１０１６など一つまたは複数のユニットを含むことができる。
【０１８０】処理ユニット１００２は、一般的には、端末１０００の全体の操作、例えば、表示、電話呼び出し、データ通信、カメラ操作及び記録操作に関連する操作を制御する。処理ユニット１００２は、上述した方法におけるステップの一部又は全部を実現できるように、命令を実行する少なくとも１つのプロセッサ１０１８を備えてもよい。また、処理ユニット１００２は、他のユニットとのインタラクションを便利にさせるように、少なくとも１つのモジュールを備えてもよい。例えば、処理ユニット１００２は、マルチメディアユニット１００８とのインタラクションを便利にさせるように、マルチメディアモジュールを備えてもよい。
【０１８１】メモリ１００４は、端末１０００での操作をサポートするように、各種のデータを記憶するように配置される。これらのデータは、例えば、端末１０００で何れのアプリケーション又は方法を操作するための命令、連絡先データ、電話帳データ、メッセージ、画像、ビデオ等を含む。メモリ１００４は、何れの種類の揮発性又は不揮発性メモリ、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクにより、或いはそれらの組み合わせにより実現することができる。
【０１８２】電源ユニット１００６は、端末１０００の各種ユニットに電力を供給するためのものであり、電源管理システム、１つ又は複数の電源、及び端末１０００のために電力を生成、管理及び分配することに関連する他のユニットを備えてもよい。
【０１８３】マルチメディアユニット１００８は、端末１０００とユーザとの間に出力インタフェースを提供するスクリーンを備えてもよい。スクリーンは、例えば、液晶ディスプレイ（ＬＣＤ）やタッチパネル（ＴＰ）を備えてもよい。スクリーンは、タッチパネルを備える場合、ユーザからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット１００８は、フロントカメラ及び/又はバックカメラを有してもよい。端末１０００が、例えば、撮影モードやビデオモードのような操作モードにある時、フロントカメラ及び/又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【０１８４】オーディオユニット１０１０は、オーディオ信号を出力及び/又は入力するように配置される。例えば、オーディオユニット１０１０は、マイクロフォン（ＭｉＣ）を有してもよい。端末１０００が、例えば、呼び出しモード、記録モード、又は音声認識モードのような操作モードにあるとき、マイクロフォンは、外部のオーディオ信号を受信するように配置される。受信したオーディオ信号は、メモリ１００４にさらに記憶されてもよいし、通信ユニット１０１６を介して送信されてもよい。一実施例では、オーディオユニット１０１０は、オーディオ信号を出力するためのスピーカをさらに備えてもよい。
【０１８５】Ｉ/Ｏインタフェース１０１２は、処理ユニット１００２と外部のインタフェースモジュールとの間にインタフェースを提供するためのものである。上記外部のインタフェースモジュールは、キーボードや、クリックホイールや、ボタン等であってもよい。これらのボタンは、ホームボタンや、音量ボタンや、スタートボタンや、ロックボタンであってもよいが、それらに限らない。
【０１８６】センサーユニット１０１４は、端末１０００のために各方面の状態を評価する少なくとも１つのセンサーを備えてもよい。例えば、センサーユニット１０１４は、端末１０００のオン/オフ状態や、ユニットの相対的な位置を検出することができる。例えば、前記ユニットは、端末１０００のディスプレイ及びキーパッドである。センサーユニット１０１４は、端末１０００又は端末１０００の１つのユニットの位置の変化や、ユーザが端末１０００に接触しているか否かや、装置１０００の方向又は加速/減速や、端末１０００の温度変化を検出することができる。センサーユニット１０１４は、何れの物理的な接触もない場合に付近の物体を検出するように配置される近接センサーを有してもよい。センサーユニット１０１４は、イメージングアプリケーションに用いるための光センサー、例えば、ＣＭＯＳ又はＣＣＤ画像センサーを有してもよい。一実施例では、当該センサーユニット１０１４は、加速度センサー、ジャイロスコープセンサー、磁気センサー、圧力センサー又は温度センサーをさらに備えてもよい。
【０１８７】通信ユニット１０１６は、端末１０００と他の設備の間との無線又は有線通信を便利にさせるように配置される。端末１０００は、通信標準に基づく無線ネットワーク、例えば、ＷｉＦｉ、２Ｇ、３Ｇ、４Ｇ又は５Ｇ、又はそれらの組み合わせにアクセスできる。１つの例示的な実施例では、通信ユニット１０１６は、ブロードキャストチャンネルを介して外部のブロードキャスト管理システムからのブロードキャスト信号又はブロードキャストに関する情報を受信する。１つの例示的な実施例では、前記通信ユニット１０１６は、近距離通信を促進するために近距離無線通信（ＮＦＣ）モジュールをさらに備えてもよい。例えば、ＮＦＣモジュールは、無線周波数認識装置（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ Ｄａｔａ Ａｓｓｏｃｉａｔｉｏｎ）技術、超広帯域無線（ＵＷＢ：Ｕｌｔｒａ Ｗｉｄｅ Ｂａｎｄ）技術、Bluetooth（ＢＴ：Ｂｌｕｅｔｏｏｔｈ）技術及び他の技術によって実現されてもよい。
【０１８８】例示的な実施例では、端末１０００は、上述した方法を実行するために、１つ又は複数の特定用途向け集積回路（ＡＳＩＣ：Ａｐｐｌｉｃａｔｉｏｎ Ｓｐｅｃｉｆｉｃ Ｉｎｔｅｇｒａｔｅｄ Ｃｉｒｃｕｉｔ）、デジタル信号プロセッサ（ＤＳＰ：Ｄｉｇｉｔａｌ Ｓｉｇｎａｌ Ｐｒｏｃｅｓｓｏｒ）、数字信号処理デバイス（ＤＳＰＤ：Ｄｉｇｉｔａｌ Ｓｉｇｎａｌ Ｐｒｏｃｅｓｓｉｎｇ Ｄｅｖｉｃｅ）、プログラム可能論理デバイス（ＰＬＤ：Ｐｒｏｇｒａｍｍａｂｌｅ Ｌｏｇｉｃ Ｄｅｖｉｃｅ）、書替え可能ゲートアレイ（ＦＰＧＡ：Ｆｉｅｌｄ−Ｐｒｏｇｒａｍｍａｂｌｅ Ｇａｔｅ Ａｒｒａｙ）、コントローラ、マイクロコントローラ、マイクロプロセッサ、又は他の電子機器によって実現されて、上記方法を実行する。
【０１８９】例示的な実施例では、命令を有する非一時的コンピュータ読み取り可能な記録媒体を提供し、上記記録媒体にはコンピュータプログラムを記録する。当該コンピュータプログラムはプロセッサ１０１８により実行されて伸縮機械部材が停止状態、外部への伸べる状態や内部で収縮状態の間で切り替えることができます。例えば、前記非一時的コンピュータ読み取り可能な記録媒体は、ＲＯＭ、ＲＡＭ、ＣＤ-ＲＯＭ、磁気テープ、フロッピー（登録商標）ディスク及び光データメモリ等であってもよい。
【０１９０】本出願の実施例は、コンピュータ読み取り可能な媒体を提供する。上記コンピュータ読み取り可能な媒体には、少なくとも一つの命令が格納され、上記少なくとも一つのめいれは、上記プロセッサによって実行され、前記各実施例の無線充電通信方法を実行することができる。
【０１９１】本出願の実施例は、コンピュータプログラム製品を提供する。上記コンピュータプログラム製品は、少なくとも１つの命令が格納され、上記少なくとも一つの命令は、上記プロセッサによって実行され、前記各実施例の無線充電通信方法を実行することができる。
【０１９２】当業者が知ることができるが、上記いずれかまたは複数の実施形態において、本出願の実施例で説明している機能は、ハードウェア、ソフトウェア、ファームウェア、またはこれらの任意の組み合わせによって実現することができる。ソフトウェアを使用して実現する場合には、これらの機能をコンピュータ読み取り可能な媒体に保存したり、またはコンピュータ読み取り可能な媒体の一つまたは複数の命令またはコードによって送信されることができる。コンピュータ読み取り可能な媒体は、コンピュータ記憶媒体と通信媒体を含む。ここで、通信媒体は、いずれかの場所から別の場所にコンピュータプログラムを伝送するに便利な任意の媒体を含む。記憶媒体は、一般的または専用のコンピュータが保存して読むことができる任意の媒体を含む。
【０１９３】本発明は、上記で述べて図面に示した特定の構成に限定されず、その範囲を逸脱しない状況下で、様々な修正や変更を行うことができる。本発明の範囲は、添付される特許請求の範囲によってのみ限定される。
【０１９４】本願は２０１９年５月３１日に提出した中国特許出願２０１９１０４６７３８８．９号の優先権を主張し、上記中国特許出願全ての内容を本願に引用して参考とする。